(57)【要約】【課題】航空機の搭乗のチェックインを、空港周辺の任意の場所で並ばずに行なえるようにすること。【解決手段】モバイル装置から、チェックイン申請を受ける機能と、携帯電話会社サーバに、モバイル装置の現在位置を確認する機能と、モバイル装置の現在位置から空港までの所用時間を計算し、航空機の出発時刻までに空港に到着可能であれば、航空会社サーバに、チェックインの申請を行なう機能とを有することを特徴とするチェックイン申請用サーバ。【選択図】図２
2004192313.tif 000002
【特許請求の範囲】
【請求項１】
モバイル装置から、チェックイン申請を受ける機能と、
携帯電話会社サーバに、モバイル装置の現在位置を確認する機能と、
モバイル装置の現在位置から空港までの所用時間を計算し、航空機の出発時刻までに空港に到着可能であれば、航空会社サーバに、チェックインの申請を行なう機能とを有することを特徴とするチェックイン申請用サーバ。
【請求項２】
チェックイン申請用サーバが実行する方法であって、
モバイル装置から、チェックイン申請を受ける工程と、
携帯電話会社サーバに、モバイル装置の現在位置を確認する工程と、
モバイル装置の現在位置から空港までの所用時間を計算し、航空機の出発時刻までに空港に到着可能であれば、航空会社サーバに、チェックインの申請を行なう工程とを含むことを特徴とするチェックイン申請方法。
【請求項３】
チェックイン申請用サーバに、
モバイル装置から、チェックイン申請を受ける機能と、
携帯電話会社サーバに、モバイル装置の現在位置を確認する機能と、
モバイル装置の現在位置から空港までの所用時間を計算し、航空機の出発時刻までに空港に到着可能であれば、航空会社サーバに、チェックインの申請を行なう機能とを実現させることを特徴とするチェックイン申請用プログラム。
【請求項４】
請求項３に記載のチェックイン申請用プログラムを記録したことを特徴とする記録媒体。
【発明の詳細な説明】
【０００１】
【発明の属する技術分野】
本発明は、チェックイン申請用サーバ、方法、プログラム、及び記録媒体に関する。
【０００２】
【従来の技術】
一般に、航空機の搭乗のチェックインは、空港のチェックインカウンターや、空港や乗り継ぎターミナルなどに置かれているチェックイン機でしか行なえず、また、その際に並ぶことも多く面倒である。
【０００３】
【発明が解決しようとする課題】
本発明は、係る状況に鑑みてなされたもので、航空機の搭乗のチェックインを、空港周辺の任意の場所で並ばずに行なえるようにすることを課題とする。
【０００４】
【課題を解決するための手段】
本発明において上記の課題を達成するために、まず請求項１の発明では、モバイル装置から、チェックイン申請を受ける機能と、
携帯電話会社サーバに、モバイル装置の現在位置を確認する機能と、
モバイル装置の現在位置から空港までの所用時間を計算し、航空機の出発時刻までに空港に到着可能であれば、航空会社サーバに、チェックインの申請を行なう機能とを有することを特徴とするチェックイン申請用サーバとしたものである。
【０００５】
また請求項２の発明では、チェックイン申請用サーバが実行する方法であって、
モバイル装置から、チェックイン申請を受ける工程と、
携帯電話会社サーバに、モバイル装置の現在位置を確認する工程と、
モバイル装置の現在位置から空港までの所用時間を計算し、航空機の出発時刻までに空港に到着可能であれば、航空会社サーバに、チェックインの申請を行なう工程とを含むことを特徴とするチェックイン申請方法としたものである。
【０００６】
また請求項３の発明では、チェックイン申請用サーバに、
モバイル装置から、チェックイン申請を受ける機能と、
携帯電話会社サーバに、モバイル装置の現在位置を確認する機能と、
モバイル装置の現在位置から空港までの所用時間を計算し、航空機の出発時刻までに空港に到着可能であれば、航空会社サーバに、チェックインの申請を行なう機能とを実現させることを特徴とするチェックイン申請用プログラムとしたものである。
【０００７】
また請求項４の発明では、請求項３に記載のチェックイン申請用プログラムを記録したことを特徴とする記録媒体としたものである。
【０００８】
【発明の実施の形態】
以下に、本発明の実施の形態を説明する。
【０００９】
１．構成
本実施形態は、搭乗予約者がモバイル装置を所持していることを前提とし、さらに、携帯電話会社サーバ、航空会社サーバ、チェックイン申請用サーバを設けたものである（図１参照）。
【００１０】
モバイル装置は、この装置の現在位置を検出する機能と、無線で電話が掛けられる機能とを有する持ち運びが可能な装置である。このようなモバイル装置としては、例えば、ＧＰＳ（Ｇｒｏｂａｌ  Ｐｏｓｉｔｉｏｎｉｎｇ  Ｓｙｓｔｅｍ）機能付携帯電話機、ＰＨＳ（Ｐｅｒｓｏｎａｌ  Ｈａｎｄｙｐｈｏｎｅ  Ｓｙｓｔｅｍ）端末がある。
【００１１】
ＧＰＳ機能付携帯電話機は、複数の人工衛星からの電波を受信して、その現在位置を検出するＧＰＳ機能が付いている携帯電話機である。携帯電話会社サーバは、ＧＰＳ機能付携帯電話機から、ＧＰＳ機能が検出した現在位置を受け取ることで、ＧＰＳ機能付携帯電話機の現在位置を検出する。
【００１２】
他方、ＰＨＳ端末の現在位置の検出は、ＰＨＳの各基地局のサービスエリアの半径が数十ｍ〜数百ｍと小さいこと利用したものである。携帯電話会社サーバは、各基地局の中で、ＰＨＳ端末に最も近く、ＰＨＳ端末と接続を確立した基地局を把握し、この基地局の所在地から、ＰＨＳ端末の大凡の現在位置を検出して、ＰＨＳ端末に知らせる。
【００１３】
航空会社サーバは、搭乗予約情報を管理する。また航空会社サーバは、チェックイン申請用サーバからチェックインの申請があった搭乗予約者について、チェックインを行なう。
【００１４】
チェックイン申請用サーバは、地図情報を管理する。またチェックイン申請用サーバは、搭乗予約者が所持するモバイル装置から、搭乗予約者のチェックインの申請を受けると、モバイル装置の現在位置から空港までの所用時間を計算し、航空機の出発時刻までに空港に到着可能であれば、航空会社サーバに、搭乗予約者のチェックインの申請を行なう。
【００１５】
２．処理
以下、搭乗予約者がモバイル装置を用いてチェックインを行なうに際して、モバイル装置、携帯電話会社サーバ、航空会社サーバ、チェックイン申請用サーバで構成されるシステムでなされる処理の流れの例を、図２のフローチャートに従って説明する。
【００１６】
Ｓ（ＳＴＥＰ）１；
搭乗予約者は、モバイル装置を用いて、チェックイン申請用サーバに対してチェックイン申請を行なう。
このチェックイン申請の際、モバイル装置から、チェックイン申請用サーバへ、搭乗の予約番号、搭乗予約者を確認するパスワード、モバイル装置の現在位置などの情報が送られる。
【００１７】
Ｓ（ＳＴＥＰ）２；
チェックイン申請用サーバは、チェックイン申請の際に送られてきたモバイル装置の現在位置が正しいか否かを、携帯電話会社サーバに確認する。
【００１８】
Ｓ（ＳＴＥＰ）３；
携帯会社サーバは、モバイル装置を呼び出して、モバイル装置の現在位置を検出し、チェックイン申請用サーバから確認のあったモバイル装置の現在位置が正しければ、その旨をチェックイン申請用サーバに返し、チェックイン申請用サーバから確認のあったモバイル装置の現在位置が間違っていれば、正しい現在位置をチェックイン申請用サーバに返す。
【００１９】
Ｓ（ＳＴＥＰ）４；
チェックイン申請用サーバは、搭乗の予約番号等の情報を、航空会社サーバに送って、航空機の出発時刻を問い合わせる。
【００２０】
Ｓ（ＳＴＥＰ）５；
航空会社サーバは、チェックイン申請用サーバから問い合わせのあった航空機の出発時刻を、チェックイン申請用サーバに返す。
【００２１】
Ｓ（ＳＴＥＰ）６；
チェックイン申請用サーバは、モバイル装置の現在位置から空港までの所用時間を計算し、航空機の出発時刻までに空港に到着可能であるか否かを判断する。
航空機の出発時刻までに空港に到着可能であれば、ＳＴＥＰ７に進む。
航空機の出発時刻までに空港に到着不可能であれば、ＳＴＥＰ１０に進む。
【００２２】
Ｓ（ＳＴＥＰ）７；
チェックイン申請用サーバは、航空会社サーバに、搭乗予約者のチェックインの申請を行なう。
この際、チェックイン申請用サーバは、モバイル装置に、モバイル装置の現在位置から空港までの最適アクセス情報を供給して、表示させても良い。
【００２３】
Ｓ（ＳＴＥＰ）８；
航空会社サーバは、チェックイン申請用サーバからチェックインの申請があった搭乗予約者について、チェックインを行なう。
【００２４】
Ｓ（ＳＴＥＰ）９；
航空会社サーバは、モバイル装置に、チェックインの完了を、搭乗予約者へ通知させる。この通知は、地理情報サーバを介して行なっても良い。
ＥＮＤに進む。
【００２５】
Ｓ（ＳＴＥＰ）１０；
チェックイン申請用サーバは、モバイル装置に、チェックイン不能であることを、搭乗予約者へ通知させる。
ＥＮＤに進む。
【００２６】
【発明の効果】
本発明は、出発時刻までに空港に到着可能な範囲内の場所であれば、任意の場所で、航空機の搭乗のチェックインが並ばずに行なえるという効果がある。
【図面の簡単な説明】
【図１】本実施形態に係わるシステムの構成例を示す図。
【図２】本実施形態に係わるシステムの処理の流れの例を示すフローチャート。
【図１】
2004192313.tif 000003
【図２】
2004192313.tif 000004